(57)【特許請求の範囲】
【請求項１】
加圧片（４）と加圧片（４）に結合されるリンクプレート（１０ａ，１０ｂ，１０ｃ）とから成る、自動車の無段調節可能な伝動装置用の巻掛け手段（１）であって、該巻掛け手段（１）が、第１の円錐プーリ対（２０４）と第２の円錐プーリ対（２０５）との間の力の流れ内に配置されている形式のものにおいて、
イ）巻掛け手段（１）の長手方向に沿って作用する力を伝達するために、長手方向に対して横方向に方向付けられて巻掛け手段の周方向に亘って分配された加圧片（４）が設けられており、
ロ）リンクプレート（１０ａ，１０ｂ，１０ｃ）が開口（１０ｅ）を有していて、該開口内に加圧片（４）が係合しており、これにより、巻掛け手段の長手方向でみてリンクプレート列が形成されており、
ハ）多数のリンクプレート列が、横方向でみて１つの中央領域（７）と２つの縁部領域（６，６´）とを備えた巻掛け手段（１）を形成しており、
ニ）巻掛け手段（１）に、隣接する２つの加圧片（４）によって規定されるポジションａ，ｂ，ｃが対応配置されており、第１のポジションａが、隣接する第２のポジションｂ及び第３のポジションｃによって取り囲まれていて、該第２及び第３のポジションが、長手方向でみて第１のポジションに対して相対的に１つの加圧片の間隔だけ乃至は２つの加圧片の間隔だけ長手方向にずらされており、第１、第２及び第３のポジションが、長手方向で規則的に反復されていてかつリンクプレート（１０ａ，１０ｂ，１０ｃ）がポジションに関連したリンクプレート列を形成するために対応するポジションａ，ｂ，ｃを占有しており、
ホ）リンクプレートによるポジションの占有によって、横方向でみてパターンが形成され、この場合、少なくとも１つの縁部領域（６，６´）のパターンが、中央領域（７）のパターンとは異なっていることを特徴とする、巻掛け手段。
【請求項２】
１つのリンクプレート列の１つのポジションが、横方向でみて少なくとも１つのリンクプレート（１０ａ，１０ｂ，１０ｃ）によって占有されている、請求項１記載の巻掛け手段。
【請求項３】
縁部領域のパターンが、最外縁部ポジションから出発して巻掛け手段中央の方向で少なくとも、２つのポジションのリンクプレート列によって規定されている、請求項１又は２記載の巻掛け手段。
【請求項４】
両縁部領域（６，６´）が同じパターンを有している、請求項１から３までのいずれか１項記載の巻掛け手段。
【請求項５】
１つのポジションの少なくとも１つのリンクプレート列が、少なくとも二重にリンクプレート（１０ａ，１０ｂ，１０ｃ）によって占有されている、請求項１から４までのいずれか１項記載の巻掛け手段。
【請求項６】
縁部領域（６，６´）又は内側領域（７）の巻掛け手段の１つのポジションの少なくとも１つのリンクプレート列が、その他のリンクプレート（１０ａ，１０ｂ，１０ｃ）の厚さに比して補強して構成されたリンクプレートによって占有されている、請求項１から５までのいずれか１項記載の巻掛け手段。
【請求項７】
補強されたリンクプレートの厚さが、補強されない２つのリンクプレートの厚さよりも小さい、請求項１から６までのいずれか１項記載の巻掛け手段。
【請求項８】
巻掛け手段が、長手方向に沿って規則的に反復する３つの異なるポジションａ，ｂ，ｃを有するスリーリンクプレート複合体であり、この場合、ポジションａが第１のポジションを成していて、該ポジションを中心として、１つの加圧片の間隔をおいて長手方向でずらされたポジションｂがかつ２つの加圧片の間隔をおいてずらされたポジションｃが配置されている、請求項１から７までのいずれか１項記載の巻掛け手段。
【請求項９】
少なくとも１つの縁部領域（６，６´）において最外縁部ポジションで始まって、ポジションａ，ｂ，ｃ，ｂを有する少なくとも１つのリンクプレート列順序が最外縁部のリンクプレート列から巻掛け手段中央の方向に配置されている、請求項１から８までのいずれか１項記載の巻掛け手段。
【請求項１０】
少なくとも１つの縁部領域（６，６´）において最外縁部のリンクプレート列で始まって、ポジションａ，ｂ，ｃ，ｂ，ｃを有する少なくともリンクプレート列が巻掛け手段中央の方向に配置されている、請求項１から９までのいずれか１項記載の巻掛け手段。
【請求項１１】
少なくとも１つの縁部領域（２６；２６´）において最外縁部ポジションで始まって、ポジションａ，ｂ，ｃ，ｂ，ｃ，ａを有する少なくともリンクプレート列が巻掛け手段中央の方向に配置されている、請求項１から１０までのいずれか１項記載の巻掛け手段。
【請求項１２】
少なくとも１つの縁部領域（６，６´）において最外縁部ポジションから内向きに数えて第３番目及び／又は第５番目のポジションに、２つのリンクプレート又は補強された１つのリンクプレートを有するリンクプレート列が設けられている、請求項１から１１までのいずれか１項記載の巻掛け手段。
【請求項１３】
巻掛け手段がそのパターンに関し、中央のリンクプレート列を中心として両縁部領域の方向に対称的に構成されている、請求項１から１２までのいずれか１項記載の巻掛け手段。
【請求項１４】
内側領域（７）がそのパターンに関し、中央のリンクプレート列を中心として両縁部領域（６，６´）の方向に対称的に構成されている、請求項１から１２までのいずれか１項記載の巻掛け手段。
【請求項１５】
内側領域（６７）がそのパターンに関し、一方の縁部領域（２６）から他方の縁部領域（２６´）に向けて巻掛け手段に対して非対称的に構成されている、請求項１から１４までのいずれか１項記載の巻掛け手段。
【請求項１６】
内側領域のポジションが、任意にリンクプレート（１０ａ，１０ｂ，１０ｃ）によって占有されている、請求項１から１５までのいずれか１項記載の巻掛け手段。
【請求項１７】
内側領域（７７）において、分割ポジション（５）を嵌挿した後で占有されたポジションのパターンが反復している、請求項１から１６までのいずれか１項記載の巻掛け手段。
【請求項１８】
分割ポジション（５）が、１つまたは２つの加圧片（４）だけ長手方向にずらされたポジションである、請求項１から１７までのいずれか１項記載の巻掛け手段。
【請求項１９】
内側領域（１０７）が、リンクプレート（１０ａ，１０ｂ，１０ｃ）によって占有されたポジションａ，ｂ，ｃ及び／又はｂ，ｃ，ａ及び／又はｃ，ｂ，ａの少なくとも１つの反復から構成されている、請求項１から１８までのいずれか１項記載の巻掛け手段。
【請求項２０】
内側領域が、リンクプレートによって占有されたポジションｃ，ａ及び／又はａ，ｃの少なくとも１つの反復から構成されている、請求項１から１８までのいずれか１項記載の巻掛け手段。
【請求項２１】
加圧片（４）間の間隔が一様ではない、請求項１から２０までのいずれか１項記載の巻掛け手段。
【請求項２２】
加圧片（４）が、少なくとも２つの互いに転動する揺動片（４ａ，４ｂ）から構成されている、請求項１から２１までのいずれか１項記載の巻掛け手段。
【請求項２３】
リンクプレート（１０ａ，１０ｂ，１０ｃ）が、加圧片（４）に離脱不能に配置されている、請求項１から２２までのいずれか１項記載の巻掛け手段。
【発明の詳細な説明】
【０００１】
【発明の属する技術分野】
本発明は、加圧片と加圧片に結合されるリンクプレートとから成る、特に自動車の無段調節可能な伝動装置用の巻掛け手段であって、巻掛け手段が、第１の円錐プーリ対と第２の円錐プーリ対との間の力の流れ内に配置されており、この場合、長手方向に沿って作用する力を伝達するために、周方向に亘って分配された加圧片が設けられており、リンクプレートが開口を有していて、該開口内に加圧片が係合しており、これにより、長手方向でみてリンクプレート列が形成され、該リンクプレート列が、巻掛け手段の横方向でみて巻掛け手段の幅を規定している形式のものに関する。
【０００２】
【従来の技術】
このような巻掛け手段は、特にヨーロッパ特許第３３２４３１８号明細書から公知である。この種の板リンクチェーンの構造では加圧片が設けられていて、この加圧片は、一体に形成されるか又は少なくとも２つの互いに転動する揺動片から形成される。加圧片は、第１の円錐プーリ対に圧力下で支持されかつこの際生ずる摩擦に基づきトルクを第２の円錐プーリ対に伝達する。円錐プーリ対の両円錐プーリ対間隔を変えることによって、増幅度が無段で調節される。加圧片は、互いにリンクプレートを介して連結されていて、このためにリンクプレートは、加圧片が係合する開口を備えている。伝達力を最適に制御するために、加圧片毎多数のリンクプレートが使用され、このリンクプレートは、騒音発生を減少するためにかつ伝達比を増大する小さなチェーン半径を実現するために主としてスリーリンクプレート複合体として配置される（ドイツ国特許第３０２７８３４号明細書）。
【０００３】
加圧片の有限の剛性に基づき及びシステムに起因する振動に基づき、リンクプレートは不均一に負荷されかつ特に縁部領域においてリンクプレートが破壊せしめられる。特に負荷されるリンクプレートを二重化することによって又はリンクプレート強度（厚さ）又はリンクプレート材料剛性の増強により強化することによって、この欠点は改善されるけれども、このような複合体においては特に強化部周辺の隣接個所でリンクプレート亀裂が生ぜしめられ、従って、この措置による一義的な改善は保証されない。それというのも、これによって負荷差を一義的に補償できずしかも引張り力分布が必ずしも十分均等ではないからである。
【０００４】
更に、強化されたリンクプレートを使用した場合には、異なって形成されたリンクプレートの硬化プロセスの再現性が低下し、これにより、巻掛け手段の寸法精度に関する品質保証が困難となりかつ製作技術的に必要な部品管理によって製作コストが増大せしめられる。
【０００５】
【発明が解決しようとする課題】
本発明の課題は、個々のリンクプレートに対する負荷分布を改善し、つまり、縁部領域が最良にしかも均質に形成され、これにより高い一定の支持能及び出力伝達能を有する巻掛け手段が提供されるように、巻掛け手段を改良し、更に、巻掛け手段を簡単かつ安価に製作できしかも一体的に扱われる構成部分の使用によって廃品が減少されかつ品質管理が不要にされるようにすることにある。
【０００６】
【課題を解決するための手段】
前記課題は本発明によれば、加圧片と加圧片に結合されるリンクプレートとから成り、第１の円錐プーリ対と第２の円錐プーリ対との間の力の流れ内に配置されている巻掛け手段において、
巻掛け手段の長手方向に沿って作用する力を伝達するために、長手方向に対して横方向に方向付けられて巻掛け手段の周方向に亘って分配された加圧片が設けられており、
リンクプレートが、加圧片が係合する開口を備えており、これにより、巻掛け手段の長手方向でみてリンクプレート列が形成されており、
リンクプレート列が、横方向でみて１つの中央領域と２つの縁部領域とを備えた巻掛け手段を形成しており、
巻掛け手段に、隣接する２つの加圧片によって規定されるポジションが対応配置されており、この場合、第１のポジションが隣接する第２のポジション及び第３のポジションによって取り囲まれていて、該第２及び第３のポジションが、長手方向でみて第１のポジションに対して相対的に１つの加圧片の間隔だけ乃至は２つの加圧片の間隔だけ長手方向にずらされており、この場合、第１、第２及び第３のポジションが、長手方向で規則的に反復されていてかつリンクプレートがポジションに関連したリンクプレート列を形成するために対応するポジションを占有しており、
リンクプレートによる横方向でのポジションの占有によってパターンが形成され、この場合、少なくとも１つの縁部領域のパターンが、中央領域のパターンとは異なっていることによって解決された。
【０００７】
更に前記課題は、以下の特徴を有する巻掛け手段の構成によって解決された。
【０００８】
加圧片と加圧片に結合されるリンクプレートとから成る、特に自動車の無段調節可能な伝動装置用の巻掛け手段であって、巻掛け手段が第１の円錐プーリ対と第２の円錐プーリ対との間の力の流れ内に配置されている形式のものにおいて、巻掛け手段の長手方向に沿って作用する力を伝達するために、長手方向に対して横方向に方向付けられて巻掛け手段の周方向に亘って分配された加圧片が設けられており、
リンクプレートが、加圧片が係合する開口を備えており、これにより、巻掛け手段の長手方向でみてリンクプレート列が形成されており、
多数のリンクプレート列が、横方向でみて１つの中央領域と２つの縁部領域とを備えた巻掛け手段を形成しており、
巻掛け手段に、隣接する２つの加圧片によって規定されるポジションａ，ｂ，ｃが対応配置されており、この場合、第１のポジションａが隣接する第２のポジションｂ及び第３のポジションｃによって取り囲まれていて、該第２及び第３のポジションが、長手方向でみて第１のポジションａに対して相対的にポジションｂの場合に１つの加圧片の間隔だけ乃至はポジションｃの場合に２つの加圧片の間隔だけ長手方向にずらされており、この場合、前記ポジションａ，ｂ，ｃが、長手方向で規則的に反復されていてかつリンクプレートがポジションに関連したリンクプレート列を形成するために対応するポジションａ，ｂ，ｃを占有しており、
ポジションａ，ｂ，ｃが、横方向で少なくとも１つの縁部領域からみてポジションａ，ｂ，ｃ，ａの順序に従って配置されていないことによって解決された。
【０００９】
【発明の効果】
この場合本発明は次のような認識に基づいている、即ち、従来技術による対称的なチェーン構造及び個々のリンクプレート強化にも拘わらず別のリンクプレートが高い負荷にさらされ、従って、従来技術の巻掛け手段のリンクプレートがそれぞれ最も強く負荷されるリンクプレートに関して依然として過剰寸法で設計されている、という認識に基づいているので、創造的な思考による最適化プロセスによって、同じ又は改善された出力伝達能の場合に移動方向に対して横方向の広がりの僅かな巻掛け手段が得られるか又は巻掛け手段の幅が同じである場合に著しく改善された出力伝達能が得られる。
【００１０】
この場合、横方向でみて１つのポジションの少なくとも１つのリンクプレート列が２つのリンクプレート又は強化された１つのリンクプレートで占有されていると有利であるが、これによって対応するポジションにおいてパターンは変わらない。それというのも、パターンはポジションの占有に関連し、このポジションで使用されるリンクプレートの数には関連しないからである。有利には、多数のこのようなリンクプレート列を内側及び／又は１つ又は２つの縁部領域に関連させることもできる。
【００１１】
本発明による巻掛け手段は、有利にはスリーリンクプレート複合体から構成されていて、この複合体は、巻掛け手段の長手方向に沿って記号ａを有する反復するポジションを有していて、このポジションを中心として、長手方向で１つの加圧片の間隔をおいて記号ｂのポジションがかつ２つの加圧片の間隔をおいて記号ｃのポジションが配置されている。この場合有利には、加圧片間隔を不等に形成でき、この間隔は、例えば板リンクチェーンのような巻掛け手段の騒音挙動を著しく改善する。
【００１２】
縁部領域のポジションは有利には、ほぼ巻掛け手段の内側領域のポジションとは無関係に占有されるので、縁部領域の本発明によるパターンは内側領域のパターンとは異なっている。極めて簡単な構成の可能性は有利には、縁部領域の両側で対称的な構成にある。種々のリンクプレートに対する引張り力の均等性及び巻掛け手段の安定性を改善するために、既に最外縁部のリンクプレート列から出発して内側領域に向けて異なるポジション、例えばポジションａ及び内向きに続くポジションｂを有する２つのリンクプレート列、及び内側領域に対応配置された内向きに継続するパターンｃ，ｂ，ａが有利である。
【００１３】
１つのポジションを安定させるために、例えばリンクプレートを二重にするか又はリンクプレートを補強することによって、このポジションに対応配置されたリンクプレート列を強化することができる。縁部領域における及び／又は内側領域のポジションの補強が有利である。有利には、例えば特別な騒音及び強度要求を満たすために、多数の薄い、例えば使用されるその他のリンクプレートよりも薄いリンクプレートが所定のポジションを有するリンクプレート列において使用されると、有利である。１つのリンクプレートを強化するために、リンクプレートが２つのリンクプレートの厚さ（強度）よりも小さいと有利であり、これによって、１つのリンクプレートと２つのリンクプレートとの間にかかる負荷も吸収かつ補償されて巻掛け手段の最善の状態が得られる。
【００１４】
最外縁部のリンクプレート列で始まって内側領域の方向に少なくともポジション順序ａ，ｂ，ｃ，ｂが与えられる場合には、創造的な思考に応じた１つの又は両縁部領域を備えた特に有利な巻掛け手段が得られ、この場合、主要領域で内側のリンクプレートのパターンは殆ど影響を受けない。リンクプレートにより最外縁部のポジションを占有するためにパターンを最外縁部のポジションから出発して中央方向にポジションａ，ｂ，ｃ，ｂ，ｃの順序に従って細分化することによって並びに同じ形成基準で順序ａ，ｂ，ｃ，ｂ，ｃ，ａに更に細分化することによって、有利には最善の結果が得られる。
【００１５】
別の創造的な思考により、最外縁部から内向きに数えて第３番目及び／又は第５板目の、所定のポジションを有するリンクプレート列において少なくとも１つの縁部領域のリンクプレートを補強及び／又は二重にしてポジションを占有すると、特に有利である。
【００１６】
上述のように、縁部領域が内側領域に比して異なって形成されると有利であり、この場合、内側領域は有利な改良構成を有することができる、つまり例えば、両縁部領域の方向でリンクプレート列が占有ポジションに関して中央のリンクプレート列に対して対称的に配置されるように、中央のリンクプレート列を中心としてリンクプレートによりポジションを占有し、この場合、リンクプレートのリンクプレート列は例えば内側から外向きに反復するポジションパターンａ，ｂ，ｃ，又はａ，ｃ，ｂに従って、縁部領域が始まるまで設けられることができる。このような対称的な配置は、長手方向に対して横方向でみて巻掛け手段の奇数のリンクプレート列の場合に有利であり、この場合、内側領域は自由に選ばれるポジションの中央のリンクプレート列を中心として対称的に両縁部領域の方向に配置される。
【００１７】
更に、非対称的な配置、即ち、ポジションの占有に関して中央のリンクプレート列に対して鏡像的でないリンクプレート列の配置が有利である。つまり、内側領域が巻掛け手段中央に対して非対称的に縁部領域から内側のパターンを反復して別の縁部領域に案内されるような配置が有利である。
【００１８】
更に巻掛け手段の引張り特性を改善するために、占有ポジションの少なくとも１つのパターンを設定しかつ分割ポジション（これは、パターンが継続しない任意のポジションを意味する）を嵌挿した後で差し嵌め、次いでパターンを反復して継続すると有利であり、この場合次いで同様にリンクプレートを備えた同じ又は別の分割ポジションを設置することができる。このことは、例えばポジションａ，ｂ，ａ及び／又はｂ，ｃ，ｂ及び／又はｃ，ｂ，ｃの順序のパターンを内側領域に配置できることを意味し、この場合、例えば３つのポジション順序ｃ，ｂ，ｃはポジションａによって次の順序ｃ，ｂ，ｃから分割できる。この場合、縁部領域から又は中央のリンクプレート列からみた方向は重要ではない。更にポジション順序ａ，ｃ，ａ及び／又はポジションｃ，ａ，ｃのパターンはそれ自体でも及び別のパターンと組合わせても有利である。
【００１９】
更に、単個使用形式又は別のパターンとの組合わせ形式の、リンクプレートにより占有されたポジションのパターンも、内側領域において少なくとも１つのポジション順序ａ，ｂ，ｃ及び／又はｂ，ｃ，ａ及び／又はｃ，ｂ，ａ及び／又はポジション順序ｃ，ａ及び／又はａ，ｃがリンクプレートにより占有されている限りにおいて、有利である。
【００２０】
更に本発明では、内側領域の対称的な並びに非対称的な構造の前述のパターンの組合わせをベースとして内側領域においてポジションの占有が行われるように、構成できる。この場合、（１つの縁部領域のみを異なわせることが有利である場合には）内側領域とは異なわない縁部領域が関連させられる。
【００２１】
リンクプレートによる完全に任意に配置されたポジション占有は、最良の配置形式をもたらしひいては有利には例えば純粋な推計学的な配置を想起させるポジション占有を生ぜしめ、この場合、内側領域は縁部領域における本発明によるポジション占有とは異なっている。
【００２２】
内側領域のリンクプレートによりポジションが著しく順不同にもしくは極めて纏まりなく対称的に占有される場合には、縁部領域は一義的に順序ａ，ｂ，ｃ，ｂ，ｃの上述のポジションの占有であることが確認され、この順序の作用は既に極めて有利なものとして記述されかつ順序の構成は縁部領域に適合されかつそれ故内側領域でも反復しない。
【００２３】
加圧片に沿ったリンクプレート複合体の幅を規定するリンクプレート列の数は、有利には引張り力の要求によって規定される。有利には前記数は２０乃至６０、有利には２５乃至４５のリンクプレート列である。この場合前記数は、奇数でも又は偶数であってもよい。奇数の場合、中央のリンクプレート列に対して対称的なパターンが有利である。
【００２４】
奇数の多数のリンクプレート列（例えば３つの）にも、このリンクプレート列とは別のリンクプレート列をリンクプレートによるポジション占有に関して対称的に、適当な対称平面を成すリンクプレート列から出発して両方向に巻掛け手段の横方向延長部に沿って縁部領域に向けてもしくは中央のリンクプレート列に向けて配置することもできる。
【００２５】
偶数のリンクプレート列の場合には、ポジション占有に関し非対称的な巻掛け手段が形成されると有利である、即ち、リンクプレートによるポジション占有が（規則的なパターンの例でみて）左側の縁部領域で非連続的なポジション順序で始まって同じポジション順序で右側の縁部領域で終わっていると有利であり、この場合、所望のチェーン幅に関し対応する前記両順序の間には同じパターンの多数の順序が配置されている。
【００２６】
これに関連してリンクプレートにより占有される偶数のポジションの場合の構成も可能であり、この場合、対称平面を成す偶数の、例えば２つのリンクプレート列（１つのポジションにおける二重のリンクプレートが本発明では単一のリンクプレート列として数えられる）を有していて、このリンクプレートにおいてはパターンは該リンクプレート列から出発して両方向で鏡像的である。更に、奇数のリンクプレートの場合に内側領域に対称平面を成す中央のリンクプレートを配置しない構成も可能であり、この場合、縁部領域の構造も互いに非対称的である。
【００２７】
縁部領域と内側領域との区別はリンクプレートにより占有されたポジションの各パターンにおいて正確な分割ラインで規定する必要はなく、むしろこのような区別は引張り力の継続性を得るために、リンクプレートにより占有されたポジションの流れるような又は連続的な移行部が設けられると有利であり、この移行部は、一方では内側領域のパターンに組み入れることができかつ他方では既に縁部領域部分であってよい。従って、移行部は縁部領域部分及び内側領域部分であってよく、これによって、両領域の制限部を流れるように形成できる。
【００２８】
【発明の実施の形態】
第１図では、加圧片４が貫通係合するリンクプレート１０ａ，１０ｂ，１０ｃから成る本発明による巻掛け手段の一区分が図示されている。加圧片４は２つの揺動片４ａ，４ｂに分割されていて、この揺動片は、リンクプレート１０ａ，１０ｂ，１０ｃのリンク式の運動の際に互いに転動しかつこれによってリンクプレート１０ａ，１０ｂ，１０ｃに対する摩擦を減少する。加圧片４をリンクプレート１０ａ，１０ｂ，１０ｃに離脱不能に連結するために、加圧片の端部で外周面に溶接点４ｃとしての成形部が設けられている。
【００２９】
巻掛け手段はスリーリンクプレート複合体として構成されている、即ち、リンクプレート１０ａ，１０ｂ，１０ｃは、移動方向に対して横方向で３つの種々のポジションａ，ｂ，ｃを有している。例えば最外部のリンクプレート列は、切欠き１０ｅを備えたリンクプレート１０ａによって形成され、この切欠き内には、加圧片４′，４″が係合する。加圧片４′″は係合しない。連続する次の隣接する両加圧片４は、リンクプレート４ｃに貫通係合し、次いで係合しない別の加圧片が続き、次いで交互にそれぞれ１つの自由な加圧片４を有する別のリンクプレート１０ａ，１０ｃが続く。
【００３０】
巻掛け手段中央方向に続く隣接するリンクプレート列においては加圧片４′は係合せずかつ加圧片４″，４′″はリンクプレート１０ｂを受容する。リンクプレート１０ｂには矢張り係合しない加圧片が続き、次いで連続的にリンクプレート１０ｂに替わって、リンクプレート１０ｃが続く。更に、リンクプレート１０ａ，１０ｂ，１０ｃのために、リンクプレートに対応するポジションａ，ｂ，ｃが生ぜしめられ、このポジションにはリンクプレートが設けられる。移動方向に対して横方向での巻掛け手段の幅に亘るポジションａ，ｂ，ｃにおけるリンクプレート１０ａ，１０ｂ，１０ｃのバリエーションが、巻掛け手段のパターンを規定する。
【００３１】
第２図では、スリーリンクプレート複合体の従来技術による巻掛け手段の概略的な一区分が図示されている。この形式の巻掛け手段は、極めて小さな転動半径によって特徴付けられていて、これによって、無段で調節可能な伝動装置において使用した場合に、円錐プーリ対のディスク半径に関連した巻掛け手段の調整に基づき生ぜしめられる大きな伝達比が得られる。
【００３２】
リンクプレート１０ａ，１０ｂ，１０ｃは、スリーリンクプレート複合体において原則的に長手方向での配置の点で異なる３つのポジションに設けられる。ポジションは移動方向でのリンクプレートの長さ間隔とみなされかつそれぞれ２つの加圧片によって規定され、第２図乃至第１３図においては対応するポジションａ，ｂ，ｃを占めるリンクプレート１０，１０ａ，１０ｂ，１０ｃが、リンクプレートの左下がりの粗い陰影斜線（ポジションａ）、右下がりの粗い陰影斜線（ポジションｂ）及び無地（ポジションｃ）のマーキングによって示されている。
【００３３】
この場合、第１のポジションａは任意に決められかつリンクプレート１０ａを備え、ポジションｂは１つの加圧片４だけずらされてリンクプレート１０ｂを備え、かつ、ポジションｃは２つの加圧片４だけずらして配置されてリンクプレート１０ｃを受容する。リンクプレート１０ａ，１０ｂ，１０ｃ並びにポジションａ，ｂ，ｃの引き続く順序は、第４の加圧片４以降、巻掛け手段の長手方向に沿った矢印で示された移動方向に沿って図示の配置形式が反復されている。
【００３４】
従来技術は、移動方向に対して横方向で最も左側の縁部リンクプレートから最も右側の縁部リンクプレートまで縁部領域とは異なわないパターンを形成する、リンクプレート１０ａ，１０ｂ，１０ｃによるポジションａ，ｂ，ｃの占有にある。この実施例では、対称的なパターンの配置形式を基本としていて、このパターンは中央のリンクプレート列５に対して両縁部領域方向で鏡像的でありかつ中央のリンクプレート列５のところで始まって内側から外向きにポジション順序ａ，ｃ，ｂもしくは外側から内向きにポジション順序ａ，ｂ，ｃを有している。外側に位置する第１のポジションｃでは、リンクプレートが倍加されているが、ポジションに関連するパターンには影響を及ぼさない。
【００３５】
第３図では、第２図に相当する区分で本発明による巻掛け手段の実施例が図示されている。この場合スリーリンクプレート複合体に関する第１図で記述の説明が同様に有効である。この場合従来技術とは異なってリンクプレート４と加圧片４とから成る１つの中央領域７及び２つの鏡面対称的な縁部領域６，６′が設けられていて、この場合鎖線の分割ライン２，２′は分割帯域をマーキングしている。
【００３６】
中央領域７は、中央に配置されたリンクプレート列５に対して鏡面対称的に縁部領域６，６′の方向に、３度反復されるポジション順序ｃ，ｂ，ａを有するパターンを有している。縁部領域６，６′は、互いに鏡像的に構成されていてかつ外側の縁部ポジションから内向きにみてパターンａ，ｂ，ｃ，ｂ，ｃ，ａ，ｃ，ａ，ｂ，ｃ，ｂを有している。この場合特に縁部パターンの区画部ａ，ｂ，ｃ，ｂ，ｃが、移動方向に沿って記入矢印の方向に生ずる引張り力に対して極めて有利に作用する。引き続き内向きに形成されるパターンは、この領域で生ずる引張り力を補償及び最適に制御するために設けられる。
【００３７】
第４図の別の実施例では、類似の巻掛け手段を、同様に移動方向に相前後して加圧片に配置されるリンクプレート用の本発明による２つのポジションパターンの一区分で図示している。縁部領域１６，１６′から分割ライン２，２′によって分割された中央領域１７は、第３図で図示の実施例の中央領域７と同じポジション区画部ａ，ｂ，ｃから形成されるが、４つのポジション区画部ａ，ｂ，ｃが互いに並べられていることが異なっている。
【００３８】
矢張り鏡像的に構成された縁部領域は、幅に関し短縮されかつ外側から内向きにポジションパターンａ，ｂ，ｃ，ｂを有していて、この場合、縁部から第１番目のポジションｃは、この個所で増大する、矢印によって示された移動方向での引張り力を吸収するために、二重リンクプレートによって占有されている。二重リンクプレートに続いて内向きに縁部領域１６，１６′の終結部を成すリンクプレートを備えた、パターンとは異なるポジションｂが配置されていて、次いで内側領域１７に向けて、規則的に内向きに反復するポジションａ，ｂ，ｃを有するパターンに移行している。
【００３９】
第５図乃至第９図の実施例は、移動方向に対して横方向で４１個の奇数のリンクプレートが備えられていてかつスリーリンクプレート複合体として中央のリンクプレート列５に対して鏡面対称的に配置されていることが共通している。更に、これら実施例では縁部領域２６が一致していてかつ８つのポジションを有するパターンの形状で構成されていて、このパターンは、両縁部領域２６，２６′における引張り力の極めて良好なしかも均一な分配を可能にする。全てのポジションは単一にリンクプレート１０によって占有されていてかつ加圧片４に配置されている。
【００４０】
縁部領域２６，２６′のパターンは、内向きにみてポジション順序ａ，ｂ，ｃ，ｂ，ｃ，ａ，ｃ，ａ，ｂを有していて、この場合分割ライン２，２′は、部分的なポジションを縁部領域及び内側領域に対応配置できるため、常時正確に１つのポジションに規定できない分割領域を示している。縁部領域に対して内側領域２７，３７，４７，５７，６７，７７，８７は、構成パターンの比較において互いに異なるリンクプレート１０によるポジション占有を有していて、この場合全ての構成パターンにおいてポジションは単一にリンクプレートによって占有されている。
【００４１】
第５図では、ポジションａに配置された中央のリンクプレート列５に対して鏡面対称的に構成されている複合体が設けられていて（それ故、中央のリンクプレート列から出発して１つの対称半部のみを説明する）かつポジション順序ｂ，ｃ，ｂ，ａ，ｂ，ｃ，ａ，ｂ，ｃ，ａ，ｃを備えたパターンを有しているのに対して、これに類似して構成された第６図の内側領域４７はポジション順序ｂ，ｃ，ｂ，ａ，ｂ，ｃ，ｂ，ｃ，ａ，ｃ，ａを備えたパターンを有している。第７図の実施例の内側領域５７は、ポジション順序ａ，ｃ，ｂ，ｃ，ａ，ｂ，ａ，ｂ，ｃ，ａ，ｃを備えたパターンを有する前述の実施例のような構造を図示している。
【００４２】
第８図乃至第１１図の実施例の内側領域６７，７７，８７は、規則的に形成されていてかつスリー区画部の反復を有している。この場合、内側領域６７，７７，８７は矢張り中央のリンクプレート列５に対して鏡面対称的であり、従って、中央のリンクプレート列を起点として外向きに一方の半部のみを説明する。第８図ではスリー区画部はポジションｃ，ａ，ｂから形成されかつ４度反復されている。この場合最後のポジションｂは縁部領域２６の一部として見ることができる。
【００４３】
第９図の実施例の内側領域は、ポジションｃ，ａ，ｂの組合わせのスリー区画部を有していてかつ３度反復されている。この場合、縁部領域２６に向けて尚ポジションａ，ｃが接続されている。
【００４４】
第１０図の実施例は、移動方向（矢印方向）に対して横方向で数の減少したリンクプレート、例えば３５個のリンクプレートを備えた同様に対称的に構成された巻掛け手段が図示されている。上述のように分割ライン２，２′によって示された縁部領域３６，３６′は、縁部からポジションａ，ｂ，ｃ，ｂ，ｃ，ａ，ｃ，ａを備えたパターンを有していてかつポジションｂに配置された中央のリンクプレート列５を備えた規則的な内側領域７７を有していて、このリンクプレート列５には、縁部領域の方向で両側にポジション順序ｃ，ａ，ｂを備えた３度反復するスリー区画部が接続されている。
【００４５】
長手方向（矢印方向）に対して横方向でポジションａの中央のリンクプレート列５を中心に対称的に配置された３７個のリンクプレートを備えた巻掛け手段の第１１図で図示の別の実施例では、第５図乃至第９図の実施例と一致して構成されている縁部領域２６及び分割ライン２，２′によって明瞭に分割された中央領域８７が配置されていて、この場合、中央のリンクプレート列５に対して鏡面対称的に、中央のリンクプレート列５を起点として対称半部毎ポジションｂ，ｃ，ａを備えた３度反復するスリー区画部が接続されている。
【００４６】
第１２図の実施例では、非対称的に構成された内側領域９７を有する、移動方向に対して横方向で３６個のポジションに３６個の数のリンクプレート１０を備えた巻掛け手段が図示されている。内側領域９７は、内側領域１２が始まる、第１２図でみて左側の端部から右向きに連続的にポジションｃ，ｂ，ａを備えたポジション区画部３を７度反復されている。
【００４７】
縁部領域は互いに同様に非対称的に構成されている。左側の縁部領域４６は、縁部からポジションパターンｃ，ｂ，ａ，ｂ，ａ，ｃ，ａに従って、右側の縁部領域４６′は同様に縁部からポジションパターンｃ，ａ，ｂ，ａ，ｂ，ｃ，ｂ，ｃに従って構成されている。この場合、右側の縁部領域４６′は移動方向に対して横方向での広がりに関し左側の縁部領域４６よりも多くのポジションを有している。しかしながら、（特にこの実施例では内側領域、この場合内側領域９７への縁部領域４６，４６′に関する）縁部領域の移行部は、流れるように又は連続的に形成されるので、１つ又は別のポジションを両領域に対応配置することができる。
【００４８】
第１３図で図示の本発明による巻掛け手段の実施例は、第１１図の実施例に一致するが、ポジションｃ，ｂ，ａを備えたポジション区画部３が６度だけ反復されていることが異なっている。この実施例は、移動方向に対して横方向で奇数のポジション、この実施例では例えば３３個のポジションを備えた非対称的な配置の可能性を示している。
【００４９】
第１４図では、ＣＶＴ・伝動装置において本発明による巻掛け手段を使用するための実施例を概略的に図示している。駆動モータ２００はモータ出力軸２０１ａによってダンパ２０１の入力部材２０１ａを駆動し、この場合、入力部材２０１ａと出力部材２０１ｂとの間のトルク流内には蓄力部材２０２及び場合によっては摩擦緩衝装置が設けられている。ダンパ２０１に後置されて、トルク流内にトルクセンサ２０３が配置されている。機能形式は例えばドイツ国特許出願公開第４２３４２９４号明細書に記載されている。
【００５０】
トルクセンサ２０３に後置されて、圧力チャンバ２２０ａ，２１２ａを有する第１の円錐プーリ対２０４が配置されている。圧力チャンバ２２０ａ，２１２ａは複動ピストン原理に従って配置されていて、この場合、ピストンは伝動装置の伝達比を制御するためにかつ巻掛け手段１の圧着作用を制御するために制御される。複動ピストンの機能形式は例えばドイツ国特許出願公開第４２０１６９３号及び第４１３４６５８号明細書に記載されている。更に本発明は、ドイツ国特許出願公開第４２１０６９２号及び第４１３４６５８号明細書にも関連し、この公知明細書の開示内容は本発明にも属する。
【００５１】
巻掛け手段１は、発生するトルクを複動ピストン２２０ａ，２２１ｂによって制御可能な第１の円錐プーリ対２０４から第２の円錐プーリ対２０５に伝達する。巻掛け手段１はエンドレスに構成されている。
【００５２】
第２の円錐プーリ対２０５に後置して、回転方向を逆転するための装置及び始動装置を配置でき、これら装置は概略的にブロック２０６として図示されている。更に、回転方向を逆転するための装置、例えばターニングユニット及び／又は始動装置、例えば始動クラッチ又はトルクコンバータは第１の円錐プーリ対２０４に前置して配置することもできる。
【００５３】
トルク流内には最終的に差動装置２０７が配置され、この差動装置には駆動軸２０８が接続される。
【００５４】
本発明により提示された請求の範囲は、広範の特許防護を得るための先入観のない形式的な提案である。本願出願人は、これまで明細書及び/又は図面でのみ開示された特徴以外の別の特徴を請求することを保留する。
【００５５】
従属請求項で記載の構成によって本発明の別の構成が可能である。しかし、従属請求項の独自の特徴を放棄するものではない。
【００５６】
従属請求項の構成によって、その他の請求項とは無関係な独自の構成が得られる。
【００５７】
本発明は図示の実施例に限定されるものではない。むしろ本発明の範囲において種種の変更及び修正が可能である。明細書及び図面並びに請求の範囲記載の特徴及びエレメント並びにプロセスステップに関連して、個々に及び組み合わせて発明性を有する変化構成、エレメント、組み合わせ及び/又は材料も可能である。組み合わされた特徴により、新たな構成並びに新たなプロセスステップもしくはプロセスステップ順序、特に製作、チェック及び作業プロセスが得られる。
【図面の簡単な説明】
【図１】本発明による巻掛け手段の一実施例を部分的に示した図。
【図２】従来の巻掛け手段の構成の一区分を示した図。
【図３】リンクプレート複合体の幅に関連して奇数のリンクプレートを備えた本発明による巻掛け手段の実施例を部分的に示した図。
【図４】リンクプレート複合体の幅に関連して奇数のリンクプレートを備えた本発明による巻掛け手段の実施例を部分的に示した図。
【図５】リンクプレート複合体の幅に関連して奇数のリンクプレートを備えた本発明による巻掛け手段の実施例を部分的に示した図。
【図６】リンクプレート複合体の幅に関連して奇数のリンクプレートを備えた本発明による巻掛け手段の実施例を部分的に示した図。
【図７】リンクプレート複合体の幅に関連して奇数のリンクプレートを備えた本発明による巻掛け手段の実施例を部分的に示した図。
【図８】リンクプレート複合体の幅に関連して奇数のリンクプレートを備えた本発明による巻掛け手段の実施例を部分的に示した図。
【図９】リンクプレート複合体の幅に関連して奇数のリンクプレートを備えた本発明による巻掛け手段の実施例を部分的に示した図。
【図１０】リンクプレート複合体の幅に関連して奇数のリンクプレートを備えた本発明による巻掛け手段の実施例を部分的に示した図。
【図１１】リンクプレート複合体の幅に関連して奇数のリンクプレートを備えた本発明による巻掛け手段の実施例を部分的に示した図。
【図１２】非対称的なポジションパターンを備えた本発明による巻掛け手段の実施例を部分的に示した図。
【図１３】非対称的なポジションパターンを備えた本発明による巻掛け手段の実施例を部分的に示した図。
【図１４】無段調節可能な伝動装置への有利な組込み形式を示した図。
【符号の説明】
２，２′  分割ライン
４，４′，４″，４′″  加圧片
４ａ，４ｂ  揺動片
４ｃ  溶接点
５  リンクプレート列
６，６′，１６，１６′，２６，２６′，３６，３６′，４６，４６′  縁部領域
１０ａ，１０ｂ，１０ｃ  リンクプレート
２７，３７，４７，５７，６７，７７，８７，９７  内側領域
２００  駆動モータ
２０１  ダンパ
２０１ａ  入力軸
２０１ｂ  出力軸
２０２  蓄力部材
２０３  トルクセンサ
２０４，２０５  円錐プーリ対
２２０ａ，２１２ａ  圧力チャンバ
２２０ｂ，２２１ｂ  複動ピストン
２０６  ブロック
２０７  差動装置
２０８  駆動軸
【図１】
0004339958.tif 000002
【図２】
0004339958.tif 000003
【図３】
0004339958.tif 000004
【図４】
0004339958.tif 000005
【図５】
0004339958.tif 000006
【図６】
0004339958.tif 000007
【図７】
0004339958.tif 000008
【図８】
0004339958.tif 000009
【図９】
0004339958.tif 000010
【図１０】
0004339958.tif 000011
【図１１】
0004339958.tif 000012
【図１２】
0004339958.tif 000013
【図１３】
0004339958.tif 000014
【図１４】
0004339958.tif 000015